(57)【要約】【課題】着脱部材の収納部を有し、筐体の薄型化を可能とする携帯電子機器を提供する。【解決手段】キーＦＰＣ２２は、折り返し部２２２及び橋部２２３を有する。折り返し部２２２は橋部２２３を支点としてシールドケース２３を挟んで折り返され、シールドケース２３上の露出部２３１に固定される。露出部２３１は基板２４の切欠部２４１の位置に対応して配設される。【選択図】図５
2010109761.tif 000002
【特許請求の範囲】
【請求項１】
開口部が形成された筐体と、
一方側の面が前記開口部から外部に露出すると共に切欠部が形成されて前記筐体の内部に配設された回路基板と、
前記回路基板における他方側の面に配設されると共に、前記回路基板の前記切欠部を介して前記開口部から外部に露出する露出部を有するシールドケースと、
前記シールドケースの前記他方側の面に配設されると共に、前記シールドケースの前記他方側の面から前記一方側の面に跨って前記露出部に配設される跨部を有するフレキシブルプリント基板と、
前記跨部の前記一方側の面に配設され、第１の着脱部材を着脱可能に収納する収納部と、
を有することを特徴とする携帯電子機器。
【請求項２】
前記露出部の前記一方側の面には凸部が形成され、
前記跨部は、前記凸部に係合される
ことを特徴とする請求項１に記載の携帯電子機器。
【請求項３】
両面が接着性を有し、前記他方側の面が前記露出部の前記一方側の面に接着された両面接触部を有し、
前記跨部の前記他方側の面は、前記両面接着部の前記一方側の面に装着される
ことを特徴とする請求項１または２に記載の携帯電子機器。
【請求項４】
前記シールドケースは基準電位に電気的に接続され、
前記両面接着部が導電性を有する
ことを特徴とする請求項３に記載の携帯電子機器。
【請求項５】
前記収納部の前記一方側の面は、前記回路基板の前記一方側の面よりも前記他方側に形成され、
前記回路基板の前記一方側の面は、第２の着脱部材を着脱可能に載置する載置部を有する
ことを特徴とする請求項１から４のいずれか一項に記載の携帯電子機器。
【請求項６】
前記露出部の前記一方側の面または前記フレキシブルプリント基板の前記跨部の前記一方側を向いた面に配設されるケース部材を有し、
前記ケース部材は、前記他方側の面に前記収納部の前記一方側の面よりも前記一方側に突出する突出部が形成される
ことを特徴とする請求項５に記載の携帯電子機器。
【請求項７】
前記突出部の前記一方側の面は、前記回路基板の前記一方側の面と面一に形成される
ことを特徴とする請求項６に記載の携帯電子機器。
【請求項８】
前記ケース部材は、前記第１の着脱部材の前記収納部への着脱を案内する案内部を有する
ことを特徴とする請求項６または７に記載の携帯電子機器。
【請求項９】
前記ケース部材の前記他方側の面の少なくとも一部は、前記両面接着部の前記一方側の面に装着される
ことを特徴とする請求項６から８のいずれか一項に記載の携帯電子機器。
【請求項１０】
前記シールドケースの前記他方側の面に配設された前記フレキシブルプリント基板の前記他方側の面における前記ケース部材に対応する領域には、押圧操作可能に構成されるキー部材の押圧操作を検出可能に構成される検出部が配設される
ことを特徴とする請求項６から９のいずれか一項に記載の携帯電子機器。
【請求項１１】
前記検出部の少なくとも一部は、前記シールドケースの前記他方側の面に配設された前記フレキシブルプリント基板の前記他方側の面における前記ケース部材に形成された突出部に対応する領域に配設される
ことを特徴とする請求項１０に記載の携帯電子機器。
【発明の詳細な説明】
【技術分野】
【０００１】
本発明は、着雑部材を着脱可能に収納する収納部を有する携帯電子機器に関する。
【背景技術】
【０００２】
携帯電話機等の携帯電子機器は、様々な着雑部材が着脱可能に構成されることが多い。
着脱部材の例としては、例えばＳＤメモリーカード、メモリースティック等の外部メモリ、或いは、ＳＩＭカードやＵＩＭカード等の電話番号特定のためのＩＣカード等が挙げられる。
【０００３】
ＳＤメモリーカードやメモリースティック等は、小型のカード状或いはスティック状のメモリデバイスである。
これらの外部メモリを着脱可能な携帯電子機器は、外部メモリの形状に応じた専用の収納部を有する。
着脱部材を着脱可能なコネクタを有する技術の一例として、例えば特許文献１に開示された技術がある。
【０００４】
また、ＳＩＭカード（Subscriber Identity Module Card）は、携帯電話機等、無線公衆電話網を利用して無線通信を行う携帯電子機器には電話番号等を特定するために必ず接続されているものである。
特に、Ｗ−ＣＤＭＡ方式等の第三世代携帯電話機には、ＳＩＭカードをベースにして拡張されたＵＩＭカード（Universal Subscriber Identity Module Card）が接続される。
ＳＩＭカードやＵＩＭカードは、小型のチップ形状に形成されており、携帯電子機器はこれらのカードを収納する収納部（カードコネクタ）を有する。
【０００５】
【特許文献１】特開２００７−３００１９０号公報
【発明の開示】
【発明が解決しようとする課題】
【０００６】
ところで、携帯電子機器の携帯性を向上させるため、携帯電子機器の小型化や薄型化を図りたい、と言う強い要求がある。
従って、携帯電子機器においては、できるだけ全体の厚みが薄くなるように収納部が設置されることが好ましい。
【０００７】
特許文献１に開示された技術では、収納部に対応する構成である外部コネクタが回路基板の一方側の面に配設される。このため、収納部に対応する構成に対して外部から着脱部材を着脱する操作を行いやすいように、収納部に対応する構成を外部に露出しようとした場合に、筐体の薄型化が困難である、と言う不利益が生じることがある。
【０００８】
以上のような事情に鑑み、本発明は、着脱部材の収納部を有し、筐体の薄型化を可能とした携帯電子機器を提供することを目的とする。
【課題を解決するための手段】
【０００９】
本発明の携帯電子機器は、開口部が形成された筐体と、一方側の面が前記開口部から外部に露出すると共に切欠部が形成されて前記筐体の内部に配設された回路基板と、前記回路基板における他方側の面に配設されると共に、前記回路基板の前記切欠部を介して前記開口部から外部に露出する露出部を有するシールドケースと、前記シールドケースの前記他方側の面に配設されると共に、前記シールドケースの前記他方側の面から前記一方側の面に跨って前記露出部に配設される跨部を有するフレキシブルプリント基板と、前記跨部の前記一方側の面に配設され、第１の着脱部材を着脱可能に収納する収納部と、を有する。
【００１０】
好適には、前記露出部の前記一方側の面には凸部が形成され、前記跨部は、前記凸部に係合される。
【００１１】
好適には、両面が接着性を有し、前記他方側の面が前記露出部の前記一方側の面に接着された両面接触部を有し、前記跨部の前記他方側の面は、前記両面接着部の前記一方側の面に装着される。
【００１２】
好適には、前記シールドケースは基準電位に電気的に接続され、前記両面接着部が導電性を有する。
【００１３】
好適には、前記収納部の前記一方側の面は、前記回路基板の前記一方側の面よりも前記他方側に形成され、前記回路基板の前記一方側の面は、第２の着脱部材を着脱可能に載置する載置部を有する。
【００１４】
好適には、前記露出部の前記一方側の面または前記フレキシブルプリント基板の前記跨部の前記一方側を向いた面に配設されるケース部材を有し、前記ケース部材は、前記他方側の面に前記収納部の前記一方側の面よりも前記一方側に突出する突出部が形成される。
【００１５】
好適には、前記突出部の前記一方側の面は、前記回路基板の前記一方側の面と面一に形成される。
【００１６】
好適には、前記ケース部材は、前記第１の着脱部材の前記収納部への着脱を案内する案内部を有する。
【００１７】
好適には、前記ケース部材の前記他方側の面の少なくとも一部は、前記両面接着部の前記一方側の面に装着される。
【００１８】
好適には、前記シールドケースの前記他方側の面に配設された前記フレキシブルプリント基板の前記他方側の面における前記ケース部材に対応する領域には、押圧操作可能に構成されるキー部材の押圧操作を検出可能に構成される検出部が配設される。
【００１９】
好適には、前記検出部の少なくとも一部は、前記シールドケースの前記他方側の面に配設された前記フレキシブルプリント基板の前記他方側の面における前記ケース部材に形成された突出部に対応する領域に配設される。
【発明の効果】
【００２０】
着脱部材の収納部を有し、筐体の薄型化を可能とする。
【発明を実施するための最良の形態】
【００２１】
以下、本発明の携帯電子機器の実施形態の携帯端末１００について説明する。
以下説明する本発明の実施形態の携帯端末１００は、折り畳み式の携帯電話機を想定している。
【００２２】
図１は、携帯端末１００の外観を示す斜視図である。
図１（ａ）は、折り畳み式の携帯端末１００が開いた状態（以下開状態と称する）を示した図、図１（ｂ）は、携帯端末１００が閉じた状態（以下閉状態と称する）を示した図である。
図１に示すように、携帯端末１００は表示部１０９を含む上部筐体１と、操作部１０５を含む下部筐体２（本発明の筐体に対応）とを有する。
そして、上部筐体１と下部筐体２とは、ヒンジ部３により連結され、図１（ａ）に示す開状態と図１（ｂ）に示す閉状態とを遷移可能に構成されている。
図１（ａ）及び（ｂ）に示すように、上部筐体１及び下部筐体２はそれぞれ薄型直方体状に形成されており、閉状態では互いに重ね合わされて互いの輪郭がほぼ一致する。
【００２３】
上部筐体１には、表示を行うための表示部１０９、音声通話のためのスピーカ１１１（図２参照）が配設される。
また、下部筐体には、通話用のマイクロフォン１１０（図２参照）、ユーザの操作を受け付ける操作部１０５が配設される。
【００２４】
図２は、携帯端末１００の信号処理系の構成の一例を示した図である。
図２に示すように、携帯端末１００の信号処理系は、アンテナ１０１、通信処理部１０２、メモリ１０３、ＣＰＵ１０４、操作部１０５、音響処理部１０６、画像処理部１０７、撮像部１０８、表示部１０９を有する。
【００２５】
通信処理部１０２は、アンテナ１０１を介して電波を送受信し、通信システム（電話網やインターネット）を介した他の携帯端末装置やサーバとの通信を行う。すなわち、通信処理部１０２は、ＣＰＵ１０４で処理された音響データ、画像データ等の各種データを変調して、変調された信号をアンテナ１０１から送信する。また、通信処理部１０２は、アンテナ１０１を介して受信した信号を復調し、復調したデータをＣＰＵ１０４に出力する。
【００２６】
ＣＰＵ１０４及びメモリ１０３は、操作部１０５等の各種手段からの信号に基づいて所定の演算を行い、音響処理部１０６や画像処理部１０７等の各処理部の制御を実行する。
音響処理部１０６は、ＣＰＵ１０４からの音響データを電気信号に変換して、その信号を、スピーカ１１１に出力する。スピーカ１１１は、音響処理部１０６からの電気信号を音に変換し、その音を出力する。一方、マイクロフォン１１０は、入力された音を電気信号に変換し、その信号を音響処理部１０６に出力する。
音響処理部１０６は、マイクロフォン１１０からの電気信号を音声データに変換し、その音声データをＣＰＵ１０４に出力する。
【００２７】
画像処理部１０７は、ＣＰＵ１０４からの画像データを画像信号に変換し、その信号を表示部１０９へ出力する。
表示部１０９は、例えばＬＣＤ（Liquid Crystal Display：液晶ディスプレイ）や有機ＥＬ（Electro Luminescence）ディスプレイ等の表示デバイスであり、携帯端末１００の各機能に応じた表示を行う。
【００２８】
上述した携帯端末１００の信号処理系の各構成は、上部筐体１及び下部筐体２に内包される基板上に集積回路（ＩＣ）として実装されるのが一般的である。
以下、下部筐体２内部の構成について説明する。
図３は、操作部１０５側から見た下部筐体２の分解斜視図である。
図３に示すように、下部筐体２は、フロントケース２１、キーＦＰＣ２２（本発明のフレキシブルプリント基板に対応）、シールドケース２３、基板２４、リアケース２５を有する。
【００２９】
フロントケース２１は、下部筐体２の外形を形成するケース部材である。フロントケース２１は、下部筐体２の操作部１０５側の面の外形を形成する。
フロントケース２１の図３における下面には、図１に示すような操作部１０５のキー・ボタン類のキートップ１１２（本発明のキー部材に対応）が配設される。
キートップ１１２は、例えば樹脂等で形成された、キー・ボタン類の外形を形成する部材である。このキートップ１１２が押下されると、キートップ１１２は小さく変形して後述するキーＦＰＣ２２上に配設されたキースイッチ２２１（本発明の検出部に対応、図４参照）に応力が伝達される。
【００３０】
キーＦＰＣ２２は、上述したキースイッチ２２１をフロントケース２１側の面（図３における下面、本発明の他方側の面に対応）に配設したＦＰＣ（Flexible Printed Circuits）である。キースイッチ２２１は、操作部１０５を構成するキー・ボタン類の数だけキーＦＰＣ２２上に配設される。キーＦＰＣ２２は、図示しない信号線などを介して基板２４に実装されたＣＰＵ１０４等と電気的に接続されている。
操作部１０５のキー・ボタン類のキートップ１１２が押下されると、キースイッチ２２１に応力が伝達され、キースイッチ２２１はこの応力を検出してＣＰＵ１０４に伝達する。これにより操作部１０５に対する操作が検出されることになる。
【００３１】
キーＦＰＣ２２は、その端部に折り返し部２２２（本発明の跨部に対応）を有する。
図４は、折り返し部２２２について説明するための図である。
図４（ａ）は、キーＦＰＣ２２のキースイッチ２２１が配設された面を示す図であり、図４（ｂ）は、図４（ａ）の反対側の面を示す図である。
【００３２】
図４（ａ）及び（ｂ）に示すように、キーＦＰＣ２２の角部付近には、折り返し部２２２が配設される。折り返し部２２２は、橋部２２３によってキーＦＰＣ２２と接続されている。
折り返し部２２２には、図３及び図４に示すように、コネクタ４（本発明の収納部）及びコネクタカバー６（本発明のケース部材に対応）が配設される。
コネクタ４は、携帯端末１００が無線通信を行う際に、電話番号の特定等を行うためのＵＩＭカード５（本発明の第１の着脱部材に対応）を収納する。コネクタ４は、導電性を有する端子部４１と、ＵＩＭカード５を収納し固定する固定部４２を有する。
【００３３】
端子部４１は、ＵＩＭカード５の端子等と接することにより電気的に接続され、ＵＩＭカード５との電気信号のやりとりを行う。端子部４１は、ＵＩＭカード５の端子の数に合わせて、少なくとも１つ配設される。端子部４１の形状は、携帯端末１００に対応するＵＩＭカード５の端子形状に合わせて形成される。端子部４１を介してＵＩＭカード５から読み取られた電気信号は、コネクタ４から橋部２２３を介して基板２４のＣＰＵ１０４等に送信される。
固定部４２は、コネクタ４に接続されたＵＩＭカード５を固定し収納するための固定具である。固定部４２の形状は、携帯端末１００に対応するＵＩＭカード５の端子形状に合わせて形成される。
【００３４】
コネクタカバー６は、コネクタ４を保護するためのカバー部材である。
コネクタカバー６の詳細については後述する。
【００３５】
後述する図５及び図６に示すように、キーＦＰＣ２２は、フロントケース２１とシールドケース２３とに挟まれることにより、携帯端末１００内で固定される。ここで、フロントケース２１とシールドケース２３に挟まれるのは、折り返し部２２２及び橋部２２３を含まない部位のみである。
従って、フロントケース２１とシールドケース２３に挟まれない折り返し部２２２は、橋部２２３を支点とした折り曲げが可能である。
本実施形態の携帯端末１００では、折り返し部２２２は、実際にはシールドケース２３の露出部２３１（本発明の露出部に対応）に折り返されて固定される。折り返しの詳細については後述する。
【００３６】
シールドケース２３は、下部筐体２内の基板２４等の構成要素を保持・保護するためのケース部材である。シールドケース２３は、例えば金属のフレーム及び板金により構成される。フレーム内には携帯端末１００の各構成要素が保持される。また、シールドケース２３は、基準電位（例えば基板２４に形成されたグランドパターン）と電気的に接続されている。
シールドケース２３は、その一部位として、露出部２３１を有する。
図３において、露出部２３１は斜線を付した部位である。
【００３７】
基板２４は、ＩＣ等の電子部品を実装した回路基板である。基板２４には、上述した携帯端末１００の信号処理系の各構成要素がＩＣチップ等の形で配設されている。
基板２４は、図３に示すように切欠部２４１（本発明の切欠部に対応）を有する。
切欠部２４１は、上述した露出部２３１を後述の開口部２５１から下部筐体２外部に露出させるために、露出部２３１に対応する位置に設けられている。
【００３８】
リアケース２５は、下部筐体２の外形を形成するケース部材である。リアケース２５は、下部筐体２の操作部１０５側の面とは反対側の面の外形を形成する。
携帯端末１００の下部筐体２は、上述したようにフロントケース２１とリアケース２５とが嵌合することによりその外形が形成される。
リアケース２５は、図３に示すように、図３に図示しないバッテリ７（後述する図５参照、本発明の第２の着脱部材に対応）を収納するための開口部２５１（本発明の開口部に対応）を有する。
【００３９】
図５に、携帯端末１００においてバッテリ７を収納する様子を示す。
図５は、携帯端末１００を下部筐体２のリアケース２５側から見た図である。
バッテリ７は、携帯端末１００の各構成に電力を供給するための、例えばリチウムイオン二次電池等の蓄電池である。
図５に示すように、リアケース２５の開口部２５１は、バッテリ７の形状に合わせて開けられている。図５においては図示を省略するが、リアケース２５にバッテリ７が収納された場合には、収納されたバッテリを固定する蓋体がバッテリ７に被せられ、リアケース２５と嵌合されることにより、バッテリ７を携帯端末１００外部から隔絶することになる。
【００４０】
図５に示すように、下部筐体２をリアケース２５側から見た場合、開口部２５１を介して下部筐体２内部が携帯端末１００外部から見えることになる。
開口部２５１を介して外部から見える下部筐体２の構成要素は、図５に示すように、基板２４、コネクタ４及びコネクタカバー６である。
図５に示すように、開口部２５１を介して下部筐体２の構成要素を外部から見た場合、基板２４の切欠部２４１を通して、シールドケース２３の露出部２３１が外部に露出して見えることになる。
【００４１】
ところで、上述したように、コネクタ４及びコネクタカバー６は、キーＦＰＣ２２の折り返し部２２２に配設されている。
ここで、折り返し部２２２は、橋部２２３を支点として折り返され、露出部２３１に固定されている。
従って、図５に示すように、折り返し部２２２に配設されたコネクタ４及びコネクタカバー６は開口部２５１を介して外部に露出することになる。
【００４２】
キーＦＰＣ２２、シールドケース２３、折り返し部２２２、橋部２２３、基板２４の位置関係は以下のようになっている。
図６は、コネクタ４の位置における下部筐体２の幅方向での下部筐体２の断面図である。
図６においては、下方向がフロントケース２１側の方向、上方向がリアケース２５側の方向となっている。
【００４３】
図６に示すように、キーＦＰＣ２２は、キースイッチ２２１がフロントケース２１側の方向を向くようにフロントケース２１とシールドケース２３により固定される。
そして、橋部２２３が支点となって折り返し部２２２が折れ曲がり、折り返し部２２２はシールドケース２３を挟んでキーＦＰＣ２２のキースイッチ２２１が配設された面と反対側を向くように固定される。
ここで折り返し部２２２が固定される位置は、シールドケース２３上の露出部２３１の位置となる。
【００４４】
上述したように、露出部２３１は基板２４の切欠部２４１の位置に対応している。
従って、露出部２３１に固定されるコネクタ４及びコネクタカバー６は、基板２４とは下部筐体２の厚さ方向には重ならずに配設されることになる。
以上説明したように、本実施形態の携帯端末１００においては、コネクタ４が基板２４と厚さ方向に重ならないように配設されるため、下部筐体２の薄型化を図ることができる。また、コネクタ４が露出部２３１に配設され、バッテリ７を下部筐体２に収納しない時にはコネクタ４が外部に露出するため、コネクタ４に対するＵＩＭカード５の着脱が容易である。
【００４５】
なお、図６に示すように、上述した折り返し部２２２と、シールドケース２３の露出部２３１とは、両面テープ８（本発明の両面接着部に対応）によって接着され固定される。
また、図６に示すように、コネクタカバー６も両面接着部によりシールドケース２３の露出部２３１に対して固定される。
ここで、本実施形態では、両面テープ８は導電性を有する部材により構成されている。
上述したようにシールドケース２３は、基準電位と電気的に接続されているため、両面テープ８が導電性を有することにより、両面テープ８に接着された物体も基準電位と接続される。
すなわち、両面テープ８が導電性を有することにより、キーＦＰＣ２２が基準電位と接続され、キーＦＰＣ２２から放射されるノイズ、或いはキーＦＰＣ２２に侵入するノイズを基準電位に逃がすことができる。従って、キーＦＰＣ２２におけるノイズ対策を図ることができる。
【００４６】
図７は、露出部２３１、基板２４、コネクタ４及びコネクタカバー６の位置関係を示すための斜視図である。
図７に示すように、シールドケース２３の露出部２３１及び、そこに固定された折り返し部２２２及びコネクタ４は、基板２４の切欠部２４１内に配設される。
露出部２３１には、位置決め用の凸部２３２が設けられている。
折り返し部２２２には、凸部２３２に対応する位置に孔部２２４が予め設けられている。
そして、凸部２３２が孔部２２４に嵌合されることにより、折り返し部２２２は露出部２３１に対して、ひいてはシールドケース２３に対して固定される。
【００４７】
すなわち、上述したように折り返し部２２２の凸部２３２に対応する位置に、予め孔部２２４が設けられていることにより、携帯端末１００の製造段階において、折り返し部２２２の位置決めが容易となる。このため、携帯端末１００の製造コストを低減することができる。
なお、図７においては、凸部２３２は２つ設けられているが、本発明はこれには限定されない。凸部の数はいくつでもよい。
【００４８】
次に、コネクタカバー６の詳細について説明する。
図８は、コネクタカバー６の拡大斜視図である。
図８に示すように、コネクタカバー６は、保持部６１（本発明の突出部に対応）、スロープ部６２（本発明の案内部に対応）、ストッパ部６３を有し、キーＦＰＣ２２の折り返し部２２２のフロントケース２１を向いた側に配設される。なお、コネクタカバー６は、シールドケース２３の露出部２３１のフロントケース２１を向いた側に配置されていてもよい。
保持部６１は、上述したように基板２４の載置部２４２と共にバッテリ７を保持する部位であり、同時に、コネクタ４を折り返し部２２２に固定する役割を果たす。すなわち、保持部６１によりコネクタ４は折り返し部２２２に対して確実に保持されると共に、コネクタ４に余分な応力がかからないようにすることができる。
【００４９】
スロープ部６２は、コネクタカバー６がコネクタ４に被せられた時、ＵＩＭカード５を容易にコネクタ４に挿入することができるようにするためのガイド部材である。
スロープ部６２においては、図８において、上方向から下方向にかけてスロープが形成されている。コネクタカバー６がコネクタ４に被せられる際には、図８におけるスロープ部６２の下部にコネクタ４が位置することになるため、図８における上方向から下方向へとＵＩＭカード５は挿入されることになる。スロープ部６２は、そのスロープにより、ＵＩＭカード５のコネクタ４への挿入を案内する役割を果たす。
【００５０】
ストッパ部６３は、コネクタ４にＵＩＭカード５が挿入された時、ＵＩＭカード５がコネクタ４から外れないように保持するストッパ部材である。これにより、コネクタ４に挿入されたＵＩＭカード５が外れないように保持することができる。
【００５１】
ところで、図６に示すように、基板２４のリアケース２５側の面（図６における上方向、本発明の一方側の面に対応）は、バッテリ７を保持するための載置部２４２として構成されている。
図６に示すように、下部筐体２の厚さ方向において、基板２４の載置部２４２は、コネクタ４のリアケース２５側の面と比較して、リアケース２５に近くなるように構成されている。
本実施形態においては、図６に示すように、コネクタカバー６の保持部６１におけるリアケース２５側の面と載置部２４２とは、面一になるように構成されている。
【００５２】
従って、バッテリ７は、開口部２５１に挿入された場合に、コネクタカバー６の保持部６１及び基板２４のリアケース２５側の面によって保持されることになる。
これにより、バッテリ７を保持するための応力は、基板２４の載置部２４２及びコネクタカバー６が受けることになり、コネクタ４にはバッテリ７による応力がかからない。従って、バッテリ７がリアケース２５の開口部２５１から抜き差しされる際に、コネクタ４に対して大きな応力がかかることがなく、バッテリ７の抜き差しによるコネクタ４の破損を抑制することができる。
【００５３】
また、図６に示すように、コネクタカバー６の保持部６１と、キーＦＰＣ２２のキースイッチ２２１の一部とは、下部筐体２の幅方向において対応する位置に配設されている。これにより、キースイッチ２２１が押下されたとき下部筐体２にかかる負荷を保持部６１により低減させることができるようになる。
【００５４】
以上説明したように、本実施形態の携帯端末１００によれば、キーＦＰＣ２２は、折り返し部２２２及び橋部２２３を有する。折り返し部２２２は橋部２２３を支点としてシールドケース２３を挟んで折り返され、シールドケース２３上の露出部２３１に固定される。
そして、露出部２３１は基板２４の切欠部２４１の位置に対応して配設される。
従って、露出部２３１に固定されるコネクタ４及びコネクタカバー６は、基板２４とは下部筐体２の厚さ方向には重ならずに配設される。
すなわち、コネクタ４が基板２４と厚さ方向に重ならないように配設されるため、下部筐体２の薄型化を図ることができる。また、コネクタ４が露出部２３１に配設され、バッテリ７を下部筐体２に収納しない時にはコネクタ４が外部に露出するため、コネクタ４に対するＵＩＭカード５の着脱が容易である。
【００５５】
また、本実施形態の携帯端末１００によれば、折り返し部２２２と露出部２３１とは導電性を有する両面テープ８によって互いに固定される。
そして、シールドケース２３は、基準電位と電気的に接続されている。
このため、キーＦＰＣ２２は両面テープ８及びシールドケース２３を介して基準電位と接続される。従って、キーＦＰＣ２２から放射されるノイズ、或いはキーＦＰＣ２２に侵入するノイズを基準電位に逃がすことができ、キーＦＰＣ２２におけるノイズ対策が図られる。
【００５６】
また、本実施形態の携帯端末１００によれば、露出部２３１には、折り返し部２２２の位置決め用の凸部２３２が設けられている。そして、折り返し部２２２の凸部２３２に対応する位置に、予め孔部２２４が設けられている。
これにより、携帯端末１００の製造段階において、折り返し部２２２の位置決めが容易となり、携帯端末１００の製造コストを低減することができる。
【００５７】
また、本実施形態の携帯端末１００によれば、コネクタカバー６は、コネクタ４を折り返し部２２２に固定するための保持部６１を有する。
ここで、保持部６１のリアケース２５側の面は、基板２４のバッテリ７を保持する部位である載置部２４２と面一に構成されている。
従って、保持部６１により、コネクタ４が折り返し部２２２に対して確実に保持されると共に、コネクタ４に余分な応力がかからないようにすることができる。
このため、バッテリ７がリアケース２５の開口部２５１から抜き差しされる際に、コネクタ４に対して大きな応力がかかることがなく、バッテリ７の抜き差しによるコネクタ４の破損を防止することができる。
【００５８】
そして、保持部６１と、キーＦＰＣ２２のキースイッチ２２１の一部とは、下部筐体２の幅方向において対応する位置に配設されている。これにより、キースイッチ２２１が押下されたとき下部筐体２にかかる負荷を保持部６１により低減させることができるようになる。
また、コネクタカバー６はスロープ形状を有するスロープ部６２を有する。スロープ部６２のスロープ形状がＵＩＭカード５のコネクタ４への挿入を案内するため、スロープ部６２によりＵＩＭカード５のコネクタ４への挿入が容易となる。
【００５９】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
上述した実施形態においては、コネクタ４（本発明の収納部）に収納される第１の着脱部材の一例として、ＵＩＭカード５が収納されることになっていたが、本発明はこれには限定されない。
第１の着脱部材の他の例として、例えばＳＩＭカードや、外部メモリ（ＳＤカードやメモリスティック等）がある。
【００６０】
また、上述した実施形態においては、携帯端末１００は第１の着脱部材を収納する携帯電話機を想定していたが、本発明はこれには限定されない。ＰＤＡ（Personal Digital Assistant）等他の携帯端末であってもよい。
【００６１】
なお、本発明における一方側とは、上述した実施形態においては、下部筐体２の厚さ方向におけるフロントケース２１からリアケース２５に向かう方向側を指し、他方側とは、下部筐体２の厚さ方向におけるリアケース２５からフロントケース２１に向かう方向側を指す。
【図面の簡単な説明】
【００６２】
【図１】図１は、携帯端末の構成の一例を示すブロック図である。
【図２】図２は、携帯端末の信号処理系の構成の一例を示した図である。
【図３】図３は、操作部側から見た下部筐体２の分解斜視図である。
【図４】図４は、折り返し部について説明するための図である。
【図５】図５は、携帯端末を下部筐体のリアケース側から見た図である。
【図６】図６は、コネクタの位置における下部筐体の幅方向での下部筐体の断面図である。
【図７】図７は、露出部、基板、コネクタ及びコネクタカバーの位置関係を示すための斜視図である。
【図８】図８は、コネクタカバーの拡大斜視図である。
【符号の説明】
【００６３】
１００…携帯端末、１…上部筐体、２…下部筐体、２１…フロントケース、２２…キーＦＰＣ、２２１…キースイッチ、２２２…折り返し部、２２３…橋部、２２４…孔部、２３…シールドケース、２３１…露出部、２３２…凸部、２４…基板、２４１…切欠部、２４２…載置部、２５…リアケース、２５１…開口部、３…ヒンジ部、４…コネクタ、４１…端子部、４２…固定部、５…カード、６…コネクタカバー、６１…保持部、６２…スロープ部、６３…ストッパ部、７…バッテリ、８…両面テープ、１０１…アンテナ、１０２…通信処理部、１０３…メモリ、１０４…ＣＰＵ、１０５…操作部、１０６…音響処理部、１０７…画像処理部、１０８…撮像部、１０９…表示部、１１０…マイクロフォン、１１１…スピーカ、１１２…キートップ
【図１】
2010109761.tif 000003
【図２】
2010109761.tif 000004
【図３】
2010109761.tif 000005
【図４】
2010109761.tif 000006
【図５】
2010109761.tif 000007
【図６】
2010109761.tif 000008
【図７】
2010109761.tif 000009
【図８】
2010109761.tif 000010